(57)【要約】【課題】製造が容易であるとともに、部品点数を少なくして製造コストを抑えることが可能な、チェーン径を調整可能なチェーン状装身具を提供すること。【解決手段】  両端を自由端としたチェーン（２）と、該チェーン（２）の両端側を束ねた複数個のヘッド部（３）とにより構成されるチェーン状装身具（１）であって、前記ヘッド部（３）はそれぞれ、前記チェーン（２）の両端側がそれぞれ挿通する二対の挿通孔（６０２）を有するケーシング（６）と、係止爪（８）によって前記ケーシング（６）の上部に係止されたダイヤモンド等の宝石類（７）と、前記ケーシング（６）内に係止された弾性部材（９）と、を具備し、前記弾性部材（９）は、一対の脚部（９０１）を有するとともに、該一対の脚部（９０１）のそれぞれで、前記チェーン（２）における前記ケーシング（６）内に位置する部分をそれぞれ、離反する方向に付勢したことを特徴とする。【選択図】図１
0003104948.tif 000002
【実用新案登録請求の範囲】
【請求項１】
両端を自由端としたチェーン（２）と、
該チェーン（２）の両端側を束ねたヘッド部（３）と、により構成されるチェーン状装身具（１）であって、
前記ヘッド部（３）は、前記チェーン（２）の両端側がそれぞれ挿通する二対の挿通孔（６０２）を有するケーシング（６）と、該ケーシング（６）内に係止された弾性部材（９）と、を具備し、
前記弾性部材（９）は、一対の脚部（９０１）を有するとともに、該一対の脚部（９０１）のそれぞれで、前記チェーン（２）における前記ケーシング（６）内に位置する部分をそれぞれ、離反する方向に付勢したことを特徴とするチェーン状装身具。
【請求項２】
前記ヘッド部（３）を複数個備えるとともに、各ヘッド部（３）にダイヤモンド等の宝石類（７）を装着したことを特徴とする請求項１に記載の装身具。
【考案の詳細な説明】
【技術分野】
【０００１】
本考案は、ネックレス、ブレスレット等のチェーン状装身具に係り、より詳しくは、両端を自由端としたチェーンの両端側をヘッド部により束ねた装身具において、ヘッド部の移動によりチェーン径を調整可能としたことを特徴とするチェーン状装身具に関する。
【背景技術】
【０００２】
一般的に、ネックレス、ブレスレット等のチェーン状装身具では、これを構成するチェーンは無端状となっており、その長さを調整することは不可能とされているが、近年、使い勝手等の利便性を目的として、チェーン径を自在に調整可能としたものが提供されてきている。
【０００３】
そして、このようなチェーン径を調整可能にしたチェーン状装身具の中には、両端を自由端としたチェーンの両端側をヘッド部により束ねるとともに、このヘッド部の位置を移動させることによりチェーン径を調整可能にしたものが提供されている。
【０００４】
即ち、図１０は、このように、チェーンの両端部を束ねたヘッド部を移動自在にしたチェーン状装身具におけるヘッド部を説明するための図であり、図において２１がヘッド部である。
【０００５】
そして、このヘッド部２１では、チェーン２５が挿通する二対の孔２３を備えた中空のケーシング２２と、このケーシング２２内に挿装した、ケーシング２２内においてチェーン２５に外嵌される略筒状の弾性部材２４とから構成されており、これによりヘッド部２１とチェーン２５を互いに移動自在とし、移動することによってチェーン径を調整可能としている。
【０００６】
また、その他、特開平１０−２９５４２０号では、チェーン３９の両端側を束ねる固定金具３１の構成として、空洞の固定金具本体３２の一側部内にチェーン３９を適宜の長さに固定する固定棒３４を、保持パイプ３３内の奥部に介在された押圧コイルバネ３５の弾発力に抗して外側方から押圧自在に挿入し、かつ、固定金具本体３２の上下部、固定棒３４、保持パイプ３３の対応する位置に、前記チェーン３９を挿通する挿通孔３６、３７、３８を夫々設けており、これによって、固定金具３１を移動自在にするとともに適宜の位置で固定可能としている。
【特許文献１】特開２００１−１６９８１０号公報
【特許文献２】特開平１０−２９５４２０号公報
【考案の開示】
【考案が解決しようとする課題】
【０００７】
しかしながら、いずれの方法を採用した場合でも、製造が面倒であるとともに部品点数も多くなってしまうという問題点がある。
【０００８】
即ち、筒状の弾性部材を用いてこれをチェーンに外嵌した場合では筒状に形成した弾性部材を２個備える必要があり、また、コイルバネを用いた場合には保持パイプ及び固定棒を備える必要があり、いずれも製造が面倒になり、更に部品点数が多くなってしまう。
【０００９】
そこで、本考案は、製造が容易であるとともに、部品点数を少なくして製造コストを抑えることが可能な、チェーン径を調整可能なチェーン状装身具を提供することを課題としている。
【課題を解決するための手段】
【００１０】
本考案のチェーン状装身具は、両端を自由端としたチェーンと、該チェーンの両端側を束ねたヘッド部と、により構成されるチェーン状装身具であって、前記ヘッド部は、前記チェーンの両端側がそれぞれ挿通する二対の挿通孔を有するケーシングと、該ケーシング内に係止された弾性部材と、を具備し、前記弾性部材は、一対の脚部を有するとともに、該一対の脚部のそれぞれで、前記チェーンにおける前記ケーシング内に位置する部分をそれぞれ、離反する方向に付勢したことを特徴としている。
【考案の効果】
【００１１】
本考案のチェーン状装身具では、チェーンが挿通するケーシングと、このケーシング内に係止した弾性部材を備えるとともに、弾性部材は一対の脚部を有する形状とし、チェーンの両端側をヘッド部に挿通させつつ、弾性部材の一対の脚部によってそれぞれ、ケーシング内に位置するチェーンを、離反する方向に付勢し、これによってヘッド部をチェーンに移動自在に係止している。
【００１２】
このように、本考案のチェーン状装身具では、ヘッド部によってチェーンの両端側を束ねるとともに、１個の弾性部材によってそれぞれのヘッド部をチェーンに係止可能としているために、製造が容易であるとともに部品点数も少なく製造コストを抑えることが可能である。
【考案を実施するための最良の形態】
【００１３】
本考案のチェーン状装身具では、両端を自由端としたチェーンにおける両端側をヘッド部により束ねて構成されており、前記ヘッド部は、チェーンの両端側がそれぞれ挿通する二対の貫通孔を有するケーシングと、このケーシング内に係止された弾性部材とを具備している。
【００１４】
そして、弾性部材は一対の脚部を有しており、この一対の脚部のそれぞれによって、前記チェーンにおける前記ケーシング内に位置する部分をそれぞれ、離反する方向に付勢して構成されている。
【００１５】
ここで、ヘッド部を複数個にするとともに、各ヘッド部には、ダイヤモンド等の宝石類を装着するとよく、これにより、各ヘッド部の位置を変更することにより、チェーン径を調整できるとともに、装身具全体のデザインを好みのものにすることが可能である。
【実施例１】
【００１６】
本考案のチェーン状装身具の実施例について図面を参照して説明すると、図１は本実施例の装身具の正面図であり、図において１が本実施例のチェーン状装身具である。即ち、本実施例のチェーン状装身具は、両端を自由端としたチェーン２と、このチェーン２の両端側を束ねた複数個のヘッド部３とを備えたネックレスとしている。そして、チェーン２に対してヘッド部３を移動自在として、これによりチェーン２の径を自在に調整可能としている。なお、本実施例のチェーン状装身具において前記チェーン２は、連結金具５によって係脱自在とされた一対のチェーンを用いているが、必ずしもこの構成によるチェーンに限定されるものではなく、チェーン２の形状も特に限定されない。
【００１７】
次に、前記ヘッド部３について説明すると、図２は前記ヘッド部３近傍の正面側を示す図であり、また図３はヘッド部３近傍の側面側を示す図であり、本実施例における前記ヘッド部３は、上部及び下部のそれぞれに開口６０３、６０１を備えた中空のケーシング６を備えており、このケーシング６の上部には、前記上部開口６０３を閉塞するようにして、係止爪８によって、ダイヤモンド７が係止されている。
【００１８】
次に、図４乃至図９は、前記ヘッド部３の構造を説明するための図であり、図４はダイヤモンド７を外した状態におけるヘッド部３の近傍の一部縦断正面図、図５はダイヤモンド７を外した状態におけるヘッド部３の近傍の正面図、図６はダイヤモンド７を外した状態におけるヘッド部３の近傍の背面図を示しており、また、図７はヘッド部の底面図、図８はダイヤモンドを外した状態におけるヘッド部３の縦断正面図、及び図９は、ダイヤモンド７を外した状態におけるヘッド部３の近傍の縦断底面図を示している。
【００１９】
そして、図にも示されているように、本実施例における前記ヘッド部３では、ケーシング６の内部に係止突起１０を備えており、この係止突起１０に係止される配置で、一対の脚部９０１を有する弾性部材としての板バネ９が配設されている。
【００２０】
一方、前記ケーシング６の上下部にはそれぞれ、チェーン２が挿通する貫通孔６０２が形成されており、この貫通孔６０２は、チェーン２の両端側がそれぞれ貫通可能なように二対とされている。
【００２１】
そして、この構成において、ケーシング６に挿通されたチェーン２におけるケーシング６内に位置する部分はそれぞれ、前記弾性部材９の一対の脚部によってそれぞれ、互いに離反する方向に付勢されつつ、ケーシング６の内壁に略当接されている。そのため、この構成により、前記ヘッド部３は、チェーン２に係止されつつ、チェーン２に対して移動自在とされている。即ち、ケーシング６内において前記チェーン２は、弾性部材９の付勢力によってケーシング６の内壁側に押圧されているため、チェーン９と脚部９０１、あるいはチェーン２とケーシング６の内壁との摺動抵抗によってケーシング６はチェーン２に係止可能であり、また、この状態でヘッド部３にチェーン２の長手方向への力を加えると、ヘッド部３を、チェーン２に対して摺動させることが可能である。なお、図１において４はチェーン２の端部に連結した球体であり、この球体４は前記貫通孔６０２外周よりも大きめの直径とし、これにより、チェーン２がケーシング６より抜け出てしまうことを防止している。
【００２２】
次に、このように構成される本実施例のチェーン状装身具１の作用について説明すると、図１において、チェーン径を調整する場合には、例えば各ヘッド部３に対して、前述のように、チェーン２の長手方向に向けた力を加える。そうすると、チェーン２がケーシング６の内壁あるいは弾性部材９の脚部９０１と摺動しつつ、これによりヘッド部３を移動させることができる。そして、ヘッド部３に加えていた力を解除すると、ケーシング６の内壁とチェーン２との摺動抵抗、あるいは弾性部材９の脚部９０１とチェーン２との摺動抵抗によって、ヘッド部３をチェーン２に係止させることができ、これによって、ヘッド部３を所望する位置にしてチェーン径を調整することが可能である。またそのとき、チェーン２の両端側を束ねている各ヘッド部３の位置が変わるために、全体のデザインを変えることも可能となる。
【００２３】
このように、本実施例のチェーン状装身具１では、チェーンの両端を束ねたヘッド部を移動自在としているためにヘッド部３を移動することによってチェーン径を自在に調整することができるとともに、その際に、ケーシング６内に備えた弾性部材９の一対の脚部９０１のみによってチェーン２を互いに離反する方向に付勢してヘッド部３をチェーン２に対して係止可能としているため、従来のチェーン状装身具と異なり、製造が容易であるとともに、部品点数を少なくして製造コストを抑えることが可能である。
【００２４】
なお、前述の実施例においては、ヘッド部を３個備えるとともに、各ヘッド部３にそれぞれダイヤモンド７を係止した形態について説明したが、ヘッド部３の数は３個には限定されず、また、必ずしもヘッド部３にダイヤモンド７を係止する必要もない。
【産業上の利用可能性】
【００２５】
本考案は、チェーンの両端側を束ねたヘッド部を移動自在にし、これによりチェーン径を自在に調整可能としているために、ネックレスに限らず、ブレスレット等、無端状のチェーンを用いた装身具の全般に適用可能である。
【図面の簡単な説明】
【００２６】
【図１】本考案のチェーン状装身具の実施例の正面図である。
【図２】ヘッド部近傍の正面側を示す図である。
【図３】ヘッド部近傍の側面側を示す図である。
【図４】ダイヤモンドを外した状態におけるヘッド部の近傍の一部縦断正面図である。
【図５】ダイヤモンドを外した状態におけるヘッド部近傍の正面図である。
【図６】ダイヤモンドを外した状態におけるヘッド部近傍の背面図である。
【図７】ヘッド部の底面図である。
【図８】ダイヤモンドを外した状態におけるヘッド部の縦断正面図である。
【図９】ダイヤモンドを外した状態におけるヘッド部の縦断底面図である。
【図１０】従来のチェーン状装身具におけるヘッド部を説明するための図である。
【図１１】従来のチェーン状装身具における固定金具を説明するための図である。
【符号の説明】
【００２７】
１    ネックレス
２    チェーン
２０１    留め具
３    ヘッド部
４    球体
６    ケーシング
６０１    下部開口
６０２    貫通孔
６０３    上部開口
７    ダイヤモンド
８    係止爪
９    弾性部材
９０１    脚部
１０    係止突起
【図１】
0003104948.tif 000003
【図２】
0003104948.tif 000004
【図３】
0003104948.tif 000005
【図４】
0003104948.tif 000006
【図５】
0003104948.tif 000007
【図６】
0003104948.tif 000008
【図７】
0003104948.tif 000009
【図８】
0003104948.tif 000010
【図９】
0003104948.tif 000011
【図１０】
0003104948.tif 000012
【図１１】
0003104948.tif 000013